(57)【特許請求の範囲】
【請求項１】
搬送路内で原稿を搬送する搬送手段と、
前記搬送路内で搬送される原稿を読み取る読取手段と、
前記読取手段で読み取られた原稿を排出する排出手段と、
前記搬送路内で原稿の重送を検知する重送検知手段と、
前記重送検知手段の検知結果から求めた原稿の重送領域が前記排出手段を通過している間に、原稿の排出動作を停止させる制御手段と、を備え、
前記搬送路内を搬送される原稿の先端を検知する先端検知手段を有し、
前記制御手段は、前記先端検知手段により検知した原稿の先端と前記重送領域との間の非重送領域が前記排出手段を通過した後に、原稿の排出を停止させることを特徴とする画像読取装置。
【請求項２】
前記重送検知手段は、前記搬送路内を搬送される原稿の厚さ方向両側に配置された、超音波を発信する超音波発信手段と、前記超音波発信手段から発信された超音波を受信する超音波受信手段と、を有し、
前記制御手段は、前記超音波受信手段が受信した超音波が所定の閾値よりも減衰した領域を前記重送領域とする、
ことを特徴とする、請求項１に記載の画像読取装置。
【請求項３】
原稿の排出の停止を解除する解除部を有し、
前記制御手段は、前記重送検知手段が重送を検知した後でも、原稿の排出を停止させるまでは前記読取手段による原稿の読み取りを継続し、原稿の排出の停止に伴い前記読取手段による原稿の読み取りを中断し、前記解除部により原稿の排出の停止が解除された場合に、原稿の排出及び原稿の読み取りを再開する、
ことを特徴とする、請求項１又は２に記載の画像読取装置。
【発明の詳細な説明】
【技術分野】
【０００１】
本発明は、搬送路内を搬送される原稿の読み取りを行う画像読取装置に関し、特に、搬送路内で原稿が重送された場合の制御に関する。
【背景技術】
【０００２】
従来から、原稿の搬送路上に読取手段としての画像読取部を配置し、画像読取部で搬送される原稿の画像を読み取る画像読取装置が提案されている。このような画像読取装置として、例えば、給紙トレイに複数重ねて載置された１枚の原稿を給送ローラで搬送路内に搬送しつつ、分離ローラで他の原稿から分離する構造が知られている。但し、このような構造であっても、複数の原稿が重なって搬送路内に搬送される重送が生じる場合がある。そこで、このような重送を検知する構造が従来から知られている。
【０００３】
また、重送を検知した場合に、原稿を排出するところで原稿の搬送を停止する構造が提案されている（特許文献１）。図１６に示すように、重送状態の原稿９０ａ、９０ｂが排出手段としての排出ローラ１２に挟持された状態で排出が停止されれば、重送状態の原稿９０ａ、９０ｂが、排紙トレイ１３に排出されることを防止できる。重送した原稿は、再度、画像読取処理を行ったりする必要があるため、既に画像読取処理を正常に終了し、排紙トレイに載置された原稿と混在することは好ましくない。したがって、図１６に示すように、重送状態の原稿９０ａ、９０ｂを排出ローラ１２で停止できれば、重送状態の原稿９０ａ、９０ｂが、既に画像読取処理を正常に終了し、排紙トレイに載置された原稿と混在することを防止できる。
【先行技術文献】
【特許文献】
【０００４】
【特許文献１】特開２００８-２７１５３７号公報
【発明の概要】
【発明が解決しようとする課題】
【０００５】
ところで、原稿が重送される場合、重送状態として様々な場合がある。例えば、図１７（Ａ）に示すように、原稿同士が重なっている重送領域９１が大きい場合や、図１７（Ｂ）に示すように、重送領域９２が小さい場合がある。したがって、このような重送領域を考慮せずに、重送を検知した時に原稿の排出を停止した場合、重送領域によっては、図１８に示すように、重送された原稿の一部（原稿９０ａ）が排紙トレイ１３に排出されてしまう可能性がある。そして、原稿９０ａが排出されてしまうと、既に画像読取処理を正常に終了し、排紙トレイ１３に載置された原稿９０ｃと混在してしまう。
【０００６】
この場合、操作者は、画像読取装置が重送状態を検知し、処理を中断した時に、排紙トレイ１３に載置された原稿について全て処理が完了しているか否かを確認しなければならず、作業効率を低下させる要因となっていた。
【０００７】
本発明は、このような事情に鑑み、重送状態に拘らず、重送した原稿の一部が排出されてしまうことを防止できる構造を実現すべく発明したものである。
【課題を解決するための手段】
【０００８】
本発明は、搬送路内で原稿を搬送する搬送手段と、
前記搬送路内で搬送される原稿を読み取る読取手段と、
前記読取手段で読み取られた原稿を排出する排出手段と、
前記搬送路内で原稿の重送を検知する重送検知手段と、
前記重送検知手段の検知結果から求めた原稿の重送領域が前記排出手段を通過している間に、原稿の排出動作を停止させる制御手段と、
を備え、
前記搬送路内を搬送される原稿の先端を検知する先端検知手段を有し、
前記制御手段は、前記先端検知手段により検知した原稿の先端と前記重送領域との間の非重送領域が前記排出手段を通過した後に、原稿の排出を停止させることを特徴とする画像読取装置にある。
【発明の効果】
【０００９】
本発明によれば、原稿の重送領域が排出手段を通過している間に、原稿の排出を停止させるため、重送状態に拘らず、重送した原稿の一部が排出されてしまうことを防止できる。
【図面の簡単な説明】
【００１０】
【図１】本発明の第１の実施形態に係る画像読取装置を模式的に示す斜視図。
【図２】第１の実施形態に係る画像読取装置とホストコンピュータとの接続状態を模式的に示す斜視図。
【図３】第１の実施形態に係る画像読取装置の概略構成断面図。
【図４】第１の実施形態に係る画像読取装置の制御ブロック図。
【図５】第１の実施形態に係るホストコンピュータの読取処理のシーケンス図。
【図６】第１の実施形態に係る画像読取装置の読取処理のシーケンス図。
【図７】第１の実施形態に係る画像読取装置の重送処理のシーケンス図。
【図８】重送領域を示す模式図。
【図９】本発明の第２の実施形態に係る画像読取装置の斜視図。
【図１０】第２の実施形態に係る画像読取装置を一部省略して示す概略構成断面図。
【図１１】第２の実施形態に係るホストコンピュータの読取処理のシーケンス図。
【図１２】第２の実施形態に係る画像読取装置の重送処理のシーケンス図。
【図１３】重送した原稿の排出が停止された状態を示す断面図。
【図１４】付箋紙が付された原稿の斜視図。
【図１５】第２の実施形態に係る画像読取装置の重送解除処理のシーケンス図。
【図１６】排出ローラで重送した原稿の排出が停止された状態を示す図。
【図１７】（Ａ）重送領域が大きい状態を、（Ｂ）重送領域が小さい状態を、それぞれ示す模式図。
【図１８】重送した原稿の一部が排出されてしまった状態を示す図。
【発明を実施するための形態】
【００１１】
＜第１の実施形態＞
本発明の第１の実施形態について、図１ないし図８を用いて説明する。まず、本実施形態の画像読取装置１の全体構成について、図１ないし図４を用いて説明する。
【００１２】
［画像読取装置］
図１に示すように、画像読取装置１は、読取処理を行う原稿を載置するための原稿載置部としての給紙トレイ４、原稿を搬送する為の搬送路１４、搬送路１４から排出された原稿が載置される排紙トレイ１３を有している。給紙トレイ４には、トレイ上に原稿が載置されているか否かを検知する原稿検知センサ４ａを有する。このような画像読取装置１は、図２に示すように、ホストコンピュータ２と通信ケーブル３を介して接続されている。
【００１３】
また、画像読取装置１は、図３に示すように、搬送路内に、給送ローラ５、分離ローラ６、搬送ローラ７、重送検知センサ８、レジストセンサ９、イメージセンサ１０、１１、排出ローラ１２などを備える。
【００１４】
給送ローラ５、搬送ローラ７などの原稿を搬送路１４内で搬送する各種ローラが搬送手段に相当する。これら給送ローラ５、搬送ローラ７などの各種ローラは、駆動手段としてのモータＭにより回転駆動される。
【００１５】
重送検知センサ８は、搬送路１４内で複数の原稿が重なって搬送される重送を検知する重送検知手段である。重送検知センサ８は、搬送路内を搬送される原稿の厚さ方向両側に配置された、超音波を発信する超音波発信手段としての超音波発信器８ａと、超音波発信器８ａから発信された超音波を受信する超音波受信手段としての超音波受信器８ｂとを有する。そして、原稿が１枚通過した場合と、複数の原稿が重なって搬送された場合との、超音波受信器８ｂが受信した信号（超音波）の違いから、重送を検知する。
【００１６】
例えば、原稿が２枚重ねて重送された場合、原稿同士の間に空気層が存在する。このような空気層が存在すると、通過する超音波が減衰する。このため、超音波受信器８ｂが受信した信号（超音波）の違いから重送を検知できる。なお、重送を検知するセンサは、このような超音波を用いて構成以外に、例えば、光を用いた従来から知られている他の構成を使用することもできる。
【００１７】
レジストセンサ９は、搬送路１４内を搬送される原稿の先端を検知する先端検知手段である。レジストセンサ９は、例えば、搬送路内を搬送される原稿の厚さ方向両側に配置された、光を発する発光部と、発光部から発せられた光を受光する受光部とを備えたフォトセンサを使用できる。そして、搬送される原稿により発光部から発せられた光が遮られることにより、原稿の先端が通過したことを検知する。
【００１８】
イメージセンサ１０、１１は、搬送路１４内を搬送される原稿を読み取る読取手段である。イメージセンサ１０は、原稿の表の情報を読み取る表用画像読取部で、イメージセンサ１１は、原稿の裏の情報を読み取る裏用画像読取部である。イメージセンサ１０、１１は、例えば、ＣＩＳ（Ｃｏｎｔａｃｔ  Ｉｍａｇｅ  Ｓｅｎｓｏｒ）などのセンサを使用する。
【００１９】
排出ローラ１２は、イメージセンサ１０、１１で読み取られた原稿を排出する排出手段である。この排出ローラ１２は、上述の給送ローラ５などを駆動するモータＭにより回転駆動される。即ち、給送ローラ５、搬送ローラ７などの各種ローラ、排出ローラ１２は、１個のモータＭにより同期して回転駆動される。なお、モータを複数配置して、何れかのモータと他のモータとを個別に制御しても良い。
【００２０】
画像読取装置１は、ホストコンピュータ２で起動している不図示のキャプチャアプリケーションから画像読取の指示を受けると、給紙トレイ４に載置された複数の原稿を１枚ずつ分離ローラ６で分離しながら、給送ローラ５により搬送路内に搬送する。搬送路１４内に搬送された原稿は、搬送ローラ７により更に搬送され、レジストセンサ９により先端が検知される。その後、原稿は、読取手段としてのイメージセンサ１０、１１を通過する際に、原稿の表又は裏の情報が読み取られ、排出手段としての排出ローラ１２により、排紙トレイ１３に排出される。
【００２１】
ここで、レジストセンサ９とイメージセンサ１０との搬送路上の距離をＬ１、原稿の搬送速度をｖとすると、原稿の先端は、レジストセンサ９で検知されてから時間Ｌ１／ｖ後にイメージセンサ１０に到達する。したがって、画像読取装置１は、レジストセンサ９によって原稿の先端が通過したのを検知すると、不図示のタイマを用いて時間の測定を行う。そして、原稿の先端がレジストセンサ９を通過した時間からＬ１／ｖ経過後に、イメージセンサ１０により原稿の表画像（情報）の読取を行う。
【００２２】
同様に、レジストセンサ９とイメージセンサ１１との搬送路上の距離をＬ２、原稿の搬送速度をｖとすると、原稿の先端は、レジストセンサ９で検知されてから時間Ｌ２／ｖ後にイメージセンサ１１に到達する。したがって、画像読取装置１は、レジストセンサ９によって原稿の先端が通過したのを検知すると、不図示のタイマを用いて時間の測定を行う。そして、原稿の先端がレジストセンサ９を通過した時間からＬ２／ｖ経過後に、イメージセンサ１１により原稿の裏画像（情報）の読取を行う。
【００２３】
表画像、裏画像の読取を終えた画像読取装置１は、通信ケーブル３を介して画像データをホストコンピュータ２へ転送するとともに、原稿を排紙トレイ１３に排紙する。
【００２４】
このような画像読取装置１は、制御手段としてのＣＰＵ８０により制御される。ＣＰＵ８０は、図４に示すように、給送手段８１、搬送手段８２、重送検知手段８３、画像読取手段８４を制御する。給送手段８１は、上述した給紙トレイ４に載置されている原稿を搬送路１４へ給送する為の給送ローラ５である。搬送手段８２は、上述の搬送路１４で原稿を搬送する搬送ローラ７などのローラである。重送検知手段８３は、上述の重送検知センサ８である。画像読取手段８４は、上述のイメージセンサ１０、１１である。このようなＣＰＵ８０は、Ｉ／Ｆ８５により、通信ケーブル３を介して接続されているホストコンピュータ２からの指示を受信、若しくは、画像読取装置１の状態をホストコンピュータ２へ転送する。
【００２５】
［画像読取のシーケンス］
次に、上述の画像読取装置１の画像読取のシーケンスについて説明する。まず、図５を用いて、ホストコンピュータ２のシーケンスについて説明する。Ｓ１０００において、操作者の指示により画像読取の開始処理を始めたホストコンピュータ２は、Ｓ１００１において、画像読取装置１に対して読取指示を行う。そして、ホストコンピュータ２は、Ｓ１００２において、画像読取装置１で読み取られた画像をＩ／Ｆ８５を介して受信し、適正な処理を実行後、Ｓ１００３において、処理を終了する。
【００２６】
次に、図５のＳ１００１で読取指示をされた画像読取装置１のシーケンスについて、図６を用いて説明する。ホストコンピュータ２から読取の指示をされた画像読取装置１のＣＰＵ８０は、Ｓ２０００において読取処理を開始する。ＣＰＵ８０は、Ｓ２００１において、原稿検知センサ４ａにより給紙トレイ４に原稿が載置されているか否かを検知する。原稿が載置されていなければ、ＣＰＵ８０は、Ｓ２００７において、処理を終了する。
【００２７】
一方、Ｓ２００１において、給紙トレイ４に原稿が載置されていることを検知したＣＰＵ８０は、Ｓ２００２において、分離ローラ６で重送しないように１枚ずつ分離しながら給送ローラ５により搬送路１４の搬送方向下流へ原稿の給送を行う。搬送路１４へ原稿を給送したＣＰＵ８０は、Ｓ２００３において画像読取処理を行う。
【００２８】
画像読取処理を開始したＣＰＵ８０は、Ｓ２００４において、重送検知センサ８を用いて、原稿が重送した状態で搬送されているか否かを検出する。Ｓ２００４でＣＰＵ８０が、原稿が重送した状態で搬送されていないと認識した場合は、Ｓ２００５において、原稿が排紙トレイ１３へ排出される事を監視する。なお、原稿が排紙トレイ１３に排出されたか否かは、例えば、排出ローラ１２の近傍に、フォトセンサなどの原稿を検知する原稿検知センサを配置し、原稿の後端が所定時間以内に原稿検知センサを通過したことを検知することにより行う。原稿の後端が所定時間以内に原稿検知センサを通過しなければ、ジャムが生じたと判断して、ジャム処理を行う。
【００２９】
Ｓ２００５において、原稿が排紙トレイ１３に排出されたことを検知したＣＰＵ８０は、読み取った画像データをＩ／Ｆ８５を介してホストコンピュータ２に転送し、Ｓ２００７において処理を終了する。
【００３０】
一方、ＣＰＵ８０は、Ｓ２００４において、原稿が重送した状態で搬送されている事を検知した場合は、Ｓ２００６において、重送処理を行う。
【００３１】
［重送処理］
次に、図６のＳ２００６に置いて重送処理を開始した場合のシーケンスについて、図７及び図８を用いて説明する。Ｓ３０００において、重送処理を開始したＣＰＵ８０は、重送検知センサ８の検知結果からＳ３００１において重送した原稿の重なり合った重送領域を求める。即ち、図８に示すように、原稿９０ａと原稿９０ｂと重なった重送領域９３を検出する。重送領域９３の検出は、次のように行う。即ち、重送検知センサ８により重送状態が検知されたら、そのまま原稿の搬送を継続し、重送検知センサ８の超音波受信器８ｂが受信した信号（超音波）が所定の閾値よりも減衰した領域を重送領域９３とする。ここで、所定の閾値とは、予め設定された、重送された場合とされていない場合とを判別するための超音波受信器８ｂが受信した信号の閾値である。
【００３２】
前述したように、原稿が重送状態である場合、超音波受信器８ｂが受信した信号が、重送状態でない場合と比べて減衰されるため、所定の閾値を超えて減衰された領域を重送領域として求めることができる。本実施形態では、次述するように、重送領域９３が排出ローラ１２を通過している間に原稿の排出を停止すれば良いため、この重送領域９３が厳密に求められなくても良い。言い換えれば、実際の重送領域の一部が検出でき、この検出された重送領域が排出ローラ１２を通過している間に原稿の排出を停止すれば足りる。勿論、センサとして精度の高いものを使用し、原稿の情報などの他の条件を付加することにより、実際の重送領域とほぼ同じ領域を求めることができる場合には、正確に求めて次述する制御を行うこともできる。
【００３３】
何れにしても、求めた重送領域９３の搬送方向の長さを、図８に示すようにＤとする。また、レジストセンサ９から原稿の先端を検知できることから、図８に示すように、原稿９０ａの先端と重送領域９３との間の、原稿９０ａと原稿９０ｂとが重なっていない非重送領域９４を求めることができる。この非重送領域９４の搬送方向の長さをｄ１とする。
【００３４】
図７のＳ３００１において重送領域９３及び非重送領域９４が求められたら、Ｓ３００２において、ＣＰＵ８０は、重送領域９３が排出ローラ１２に到達したか否かを判断する。ここで、レジストセンサ９と排出ローラ１２との搬送路上の距離をＬ３、原稿の搬送速度をｖとすると、図８より非重送領域９４の長さがｄ１なので、（Ｌ３＋ｄ１）／ｖ後に重送領域９３が排出ローラ１２に到達することになる。
【００３５】
したがって、ＣＰＵ８０は、レジストセンサ９によって原稿９０ａの先端が通過したのを検知したら、不図示のタイマを用いて時間の測定を行う。そして、原稿９０ａの先端がレジストセンサ９を通過した時間から（Ｌ３＋ｄ１）／ｖ経過するまで、原稿９０ａと原稿９０ｂの搬送を継続する。
【００３６】
ＣＰＵ８０は、Ｓ３００２において、レジストセンサ９によって原稿９０ａの先端が通過したのを検知してから、上述のように算出した時間（Ｌ３＋ｄ１）／ｖが経過されるのを待機する。そして、ＣＰＵ８０は、Ｓ３００３において、この時間（Ｌ３＋ｄ１）／ｖが経過したら、原稿９０ａと原稿９０ｂの排出及び搬送を停止する。即ち、非重送領域９４が排出ローラ１２を通過した後に、原稿の排出動作を停止する。これにより、重送領域９３が排出ローラ１２を通過している間に、原稿の排出動作を停止できる。言い換えれば、重送領域９３が排出ローラ１２に挟持された状態で排出が停止される。その後、ＣＰＵ８０は、Ｓ３００４で処理を終了する。
【００３７】
なお、ＣＰＵ８０が、レジストセンサ９によって原稿９０ａの先端が通過したのを検知してから待機する時間は、図８より重送領域９３の長さＤであることから、（Ｌ３＋ｄ１）／ｖから（Ｌ３＋ｄ１＋Ｄ）／ｖまでの間であれば、何れでも良い。
【００３８】
本実施形態の場合、このように重送領域９３が排出ローラ１２を通過している間に、原稿の排出を停止させるため、重送状態に拘らず、重送した原稿の一部が排出されてしまうことを防止できる。即ち、前述の図１７（Ａ）、（Ｂ）の何れの状態であっても、重送領域９３を求め、この重送領域９３が排出ローラ１２を通過している間に原稿の排出を停止できる。このため、前述の図１８に示したように、重送状態によって原稿の一部（原稿９０ｂ）が排紙トレイ１３に排出されてしまうことを防止できる。この結果、重送された原稿と、正常に画像処理が行われて排紙トレイ１３に排出された原稿とが混在することを防止でき、作業効率を向上させられる。また、重送状態の原稿を排出ローラ１２のところまで搬送してから、原稿の搬送及び排出を停止しているため、重送状態の原稿を取り出し易い。
【００３９】
＜第２の実施形態＞
本発明の第２の実施形態について、図９ないし図１５を用いて説明する。本実施形態の画像読取装置１Ａは、図９に示すように、原稿を載置するための原稿載置部としての給紙トレイ４Ａ、原稿を搬送する為の搬送路１４Ａが設けられている。このような本実施形態の場合、給紙トレイ４Ａから搬送路１４Ａに搬送された原稿は、第１の実施形態のように、折り返されることなく排出される。また、本実施形態の画像読取装置１Ａは、第１の実施形態のような排紙トレイ１３を設けておらず、排出された原稿は、画像読取装置１Ａが載置された部分に直接排出される。
【００４０】
図１０に示すように、このような本実施形態の画像読取装置１Ａも、第１の実施形態と同様に、搬送路内に、搬送ローラ７、重送検知センサ８、レジストセンサ９、イメージセンサ１０、１１、排出ローラ１２などを備える。これらに構成及び作用については、第１の実施形態の場合と同様である。また、本実施形態の場合も、画像読取装置１Ａは、図２に示した場合と同様に、ホストコンピュータ２に接続される。更に、画像読取装置１Ａは、図４に示した場合と同様に、ＣＰＵ８０を有し、ＣＰＵ８０は、給送手段８１を除く各種手段を制御する。
【００４１】
このような本実施形態の画像読取装置１Ａは、第１の実施形態のように原稿の重送を検知して原稿の排出及び搬送を停止した後に、原稿の排出の停止が解除された場合、原稿の排出及び原稿の読み取りを再開する制御を行う。以下、具体的に説明する。
【００４２】
まず、本実施形態におけるホストコンピュータ２のシーケンスについて、図１１を用いて説明する。Ｓ７０００において、画像読取の開始処理を始めたホストコンピュータ２は、Ｓ７００１において、画像読取装置１Ａに対して読取指示を行う。その後、ホストコンピュータ２は、Ｓ７００２において、画像読取装置１Ａによる原稿の給送状態を監視する。ホストコンピュータ２から読取の指示をされた画像読取装置１ＡのＣＰＵ８０は、前述の図６に示した場合と同様に、読取処理を開始する。そして、図６のＳ２００４において、原稿が重送していない状態で搬送されていることを検知した場合は、ＣＰＵ８０からホストコンピュータ２に対して、正常に搬送されていることを通知される。
【００４３】
図１１のＳ７００２において、画像読取装置１Ａが原稿を正常に搬送している旨の通知を受けたホストコンピュータ２は、Ｓ７００５において、画像読取装置１Ａから転送された画像データを受信し、適正な処理を実行する。
【００４４】
一方、図６のＳ２００４において、重送状態を検知した場合は、Ｓ２００６において、重送処理を行う。本実施形態の場合、重送処理は、図１２に示すシーケンスにより行う。図１２のＳ５０００において、重送処理を開始した画像読取装置１ＡのＣＰＵ８０は、Ｓ５００１において、第１の実施形態と同様に、重送領域９３（図８参照）を検出する。
【００４５】
Ｓ５００２において、ＣＰＵ８０は、第１の実施形態と同様に、重送領域９３が排出ローラ１２に到達したか否かを判断する。次いで、Ｓ５００２において、重送領域９３が排出ローラ１２に到達するまでの時間が経過されるのを待機したＣＰＵ８０は、Ｓ５００３において、原稿の排出及び搬送を停止する。この際、イメージセンサ１０、１１による原稿の読み取りを継続する。即ち、重送検知センサ８が原稿の重送を検知した後でも、原稿の排出を停止させるまではイメージセンサ１０、１１による原稿の読み取りを継続する。
【００４６】
ここで、原稿の排出を停止した場合、図１３に示すような位置で、原稿９０ａと原稿９０ｂとが停止される場合がある。図１３では、原稿９０ａと重なった原稿９０ｂの後端部は、イメージセンサ１０、１１を通過していない。しかし、搬送した原稿は、図１４に示すように、原稿９０ｂに付箋紙９５が付された原稿の可能性もある。言い換えれば、原稿９０ａが付箋紙９５である場合もある。この場合、操作者が意図して付箋紙９５を付している可能性があり、このような場合にも重送エラーと判定することは、操作者の意図に反する。そこで、本実施形態では、次のような処理を実行するようにしている。
【００４７】
まず、ＣＰＵ８０は、Ｓ５００３において原稿の排出及び搬送を停止すると共に、搬送速度の減速に合わせて、Ｓ５００４において画像読取の中断を行う。次いで、ＣＰＵ８０は、Ｓ５００５において、ホストコンピュータ２に対して重送状態が発生した旨を通知し、Ｓ５００６において、発生した重送状態に対する処置が確定するのを監視する。
【００４８】
一方、図１１のＳ７００２において、原稿が重送した状態で搬送されていることを検知したホストコンピュータ２は、Ｓ７００３において、発生した重送状態を解除すべきか否か、操作者による指示を監視する。本実施形態では、ホストコンピュータ２が、原稿の排出の停止を解除する解除部に相当する。重送をエラーとして処理するように操作者から指示を受けたホストコンピュータ２は、画像読取装置１ＡのＣＰＵ８０に対してその旨を通知した後、Ｓ７００６で処理を終了する。
【００４９】
これに対して、重送を解除する処理を行うように操作者から指示を受けたホストコンピュータ２は、Ｓ７００４で、画像読取装置１ＡのＣＰＵ８０に対して解除指示を行い、Ｓ７００５で画像読取処理を再開する。
【００５０】
図１２のＳ５００６において、重送状態に対する処置が確定したことを検知した画像読取装置１ＡのＣＰＵ８０は、Ｓ５００７で、確定した処置に従って処理を行う。確定した処理が、重送状態をエラーとして処理する指示であった場合、ＣＰＵ８０は、Ｓ５００８において重送処理を終了する。一方、確定した処理が、重送状態の解除を行う指示であった場合、ＣＰＵ８０は、Ｓ５００９において、重送解除処理を行う。
【００５１】
重送解除処理は、図１５に示すようなシーケンスで行われる。Ｓ６０００において、重送解除処理を開始した画像読取装置１ＡのＣＰＵ８０は、Ｓ６００１において画像読取の再開指示をすると共に、Ｓ６００２で原稿の排出及び搬送の再開を行い、搬送速度の加速に応じて画像読取の再開を行う。
【００５２】
ここで、画像読取の再開を行う場合、画像の読み取り位置が搬送を停止させた位置からずれる可能性がある。このため、各種ローラを駆動するモータＭ（図１参照）がＤＣモータである場合には、モータの回転角度を検知するエンコーダを設け、このエンコーダからの信号に基づいて、読取再開時に、読取位置を補正することが好ましい。また、モータＭがパルスモータである場合には、パルス数を監視して、読取再開時に、読取位置を補正することもできる。
【００５３】
次いで、ＣＰＵ８０は、Ｓ６００３において、原稿が排出されるのを監視する。Ｓ６００３において、原稿が排出されたことを検出したＣＰＵ８０は、Ｓ６００４で搬送を停止させ、そして、Ｓ６００５で重送解除処理を終了する。
【００５４】
本実施形態の場合、重送により原稿の排出が停止された場合でも、操作者の指示により原稿の読み取りを再開できる。このため、操作者は、例えば、付箋紙が付された状態の原稿の画像読取を行うことが可能となり、作業効率を向上させられる。その他の構造及び作用は、上述の第１の実施形態と同様である。
【００５５】
＜その他の実施形態＞
上述の各実施形態では、重送検知手段として超音波を用いたい構造について説明したが、例えば、光を用いて、光の透過量の差により重送を検知することもできる。この場合、透過量が低減された領域を重送領域とすれば、本発明のような制御が可能である。
【００５６】
また、制御手段は、画像読取装置本体に有する以外に、ホストコンピュータなどの外部端末に設けても良い。また、上述の各実施形態では、原稿の排出の停止を解除する解除部をホストコンピュータとしたが、この解除部を画像読取装置本体に設けても良い。更に、画像読取開始などの指示についても、画像読取装置側で行うようにしても良い。
【符号の説明】
【００５７】
１、１Ａ・・・画像読取装置、２・・・ホストコンピュータ（解除部）、５・・・給送ローラ（搬送手段）、７・・・搬送ローラ（搬送手段）、８・・・重送検知センサ（重送検知手段）、８ａ・・・超音波発信器（超音波発信手段）、８ｂ・・・超音波受信器（超音波受信手段）、９・・・レジストセンサ（先端検知手段）、イメージセンサ１０、１１（読取手段）、１２・・・排出ローラ（排出手段）、１４、１４Ａ・・・搬送路、８０・・・ＣＰＵ（制御手段）、９０ａ、９０ｂ・・・原稿、９３・・・重送領域、９４・・・非重送領域、９５・・・付箋紙
【図１】
0006000675.tif 000002
【図２】
0006000675.tif 000003
【図３】
0006000675.tif 000004
【図４】
0006000675.tif 000005
【図５】
0006000675.tif 000006
【図６】
0006000675.tif 000007
【図７】
0006000675.tif 000008
【図８】
0006000675.tif 000009
【図９】
0006000675.tif 000010
【図１０】
0006000675.tif 000011
【図１１】
0006000675.tif 000012
【図１２】
0006000675.tif 000013
【図１３】
0006000675.tif 000014
【図１４】
0006000675.tif 000015
【図１５】
0006000675.tif 000016
【図１６】
0006000675.tif 000017
【図１７】
0006000675.tif 000018
【図１８】
0006000675.tif 000019